(57)【要約】  グラフィック情報を処理し、処理したグラフィック情報をモニタへ無線送信することが可能な回路、方法、及び装置を提供する。高帯域幅を実現するために、本発明のある実施の形態は、複数のＲＦ送信機を有するグラフィックプロセッサチップを提供して、処理したグラフィック情報を、複数の無線チャンネルの累積帯域幅を用いて送信することを可能とする。これら送信機は、一以上のＲＦ標準規格、又は独自仕様の信号伝達スキームを使用することが可能である。【選択図】  図１
2008530828.tif 000002
【特許請求の範囲】
【請求項１】
グラフィック情報を受け取り、処理されたグラフィック情報を生成し、該処理されたグラフィック情報を少なくとも第１の部分及び第２の部分として提供するよう構成されたグラフィック処理回路と、
前記グラフィック処理回路に接続されており、前記処理されたグラフィック情報の前記第１の部分を受け取り、該処理されたグラフィック情報の該第１の部分を送信するよう構成された第１の無線送信機と、
前記グラフィック処理回路に接続されており、前記処理されたグラフィック情報の前記第２の部分を受け取り、該処理されたグラフィック情報の該第２の部分を送信するよう構成された第２の無線送信機と、
を備える集積回路。
【請求項２】
前記グラフィック処理回路に接続されており、前記処理されたグラフィック情報を、配線を介して提供するよう構成されたグラフィック出力回路を更に備える、請求項１に記載の集積回路。
【請求項３】
前記無線送信機が、ＲＦ標準規格に準拠している、請求項１に記載の集積回路。
【請求項４】
前記第１の無線送信機が、更に、前記処理されたグラフィック情報の前記第１の部分を、前記ＲＦ標準規格に従うＲＦ搬送波を用いて変調するように構成されている、請求項１に記載の集積回路。
【請求項５】
前記ＲＦ標準規格が、ＩＥＥＥ  ８０２．１１ａ、ＩＥＥＥ  ８０２．１１ｂ、ＩＥＥＥ  ８０２．１１ｇ、Ｂｌｏｕｅｔｏｏｔｈ、又は超広帯域無線からなるグループのうちの一つである、請求項４に記載の集積回路。
【請求項６】
前記グラフィック処理回路が、前記処理されたグラフィック情報を、その処理の一部として、スクランブルするように構成されている、請求項４に記載の集積回路。
【請求項７】
前記グラフィック処理回路が、ＣＰＵからグラフィック情報を受け取るように構成されている、請求項６に記載の集積回路。
【請求項８】
グラフィック情報を処理して送信する方法であって、
グラフィック情報を、集積回路上のグラフィックプロセッサを用いて受け取るステップと、
前記グラフィック情報を、前記集積回路上の前記グラフィックプロセッサを用いて処理するステップと、
処理された前記グラフィック情報を、第１の部分及び第２の部分に分割するステップと、
前記処理されたグラフィック情報の前記第１の部分を、第１のＲＦ信号として送信するステップと、
前記処理されたグラフィック情報の前記第２の部分を、第２のＲＦ信号として送信するステップと、
を含む方法。
【請求項９】
前記第１のＲＦ信号が、ＲＦ標準規格に準拠している、請求項８に記載の方法。
【請求項１０】
前記ＲＦ標準規格が、ＩＥＥＥ  ８０２．１１ａ、ＩＥＥＥ  ８０２．１１ｂ、ＩＥＥＥ  ８０２．１１ｇ、及び、Ｂｌｏｕｅｔｏｏｔｈからなるグループのうちの一つである、請求項９に記載の方法。
【請求項１１】
グラフィック情報を受け取り、処理されたグラフィック情報を生成し、前記処理されたグラフィック情報を、少なくとも第１の部分及び第２の部分として提供するよう構成されたグラフィック処理回路と、
前記グラフィック処理回路に接続されており、前記処理されたグラフィック情報の前記第１の部分を受け取って変調し、該処理されたグラフィック情報の該第１の部分を、第１のＲＦ信号として送信するよう構成された第１の無線送信機と、
前記グラフィック処理回路に接続されており、前記処理されたグラフィック情報の前記第２の部分を受け取って変調し、該処理されたグラフィック情報の該第２の部分を、第２のＲＦ信号として送信するよう構成された第２の無線送信機と、
を有する第１の集積回路と、
前記第１のＲＦ信号を受信して復調し、前記処理されたグラフィック情報の前記第１の部分を提供するよう構成された第１の無線受信機と、
前記第２のＲＦ信号を受信して復調し、前記処理されたグラフィック情報の前記第２の部分を提供するよう構成された第２の無線受信機と、
前記処理されたグラフィック情報の前記第１の部分及び前記第２の部分を受け取り、第１の出力を提供すよう構成された出力回路と、
を有する第２の集積回路と、
を備えるコンピュータシステム。
【請求項１２】
前記第２の集積回路からの前記第１の出力を受け取るよう構成されたモニタと、
グラフィック情報を前記第１の集積回路に提供するよう構成されたコンピュータと、
を備える請求項１１に記載のコンピュータシステム。
【請求項１３】
前記第１の集積回路が、
前記グラフィック処理回路に接続されており、前記処理されたグラフィック情報の第３の部分を受け取って変調し、該処理されたグラフィック情報の該第３の部分を第３のＲＦ信号として送信するよう構成された第３の無線送信機と、
前記グラフィック処理回路に接続されており、前記処理されたグラフィック情報の第４の部分を受け取って変調し、該処理されたグラフィック情報の該第４の部分を第４のＲＦ信号として送信するよう構成された第４の無線送信機と、
を有し、
該コンピュータシステムが、更に、
前記第３のＲＦ信号を受信して変調し、前記処理されたグラフィック情報の前記第３の部分を提供するよう構成された第３の無線受信機と、
前記第４のＲＦ信号を受信して変調し、前記処理されたグラフィック情報の前記第４の部分を提供するよう構成された第４の無線受信機と、
前記処理されたグラフィック情報の前記第１の部分及び前記第２の部分を受け取り、第２の出力を提供するよう構成された出力回路と、
を有する第３の集積回路を備える、
請求項１１に記載のコンピュータシステム。
【請求項１４】
前記第２の集積回路からの前記第１の出力を受け取るよう構成された第１のモニタと、
前記第３の集積回路からの前記第２の出力を受け取るよう構成された第２のモニタと、
グラフィック情報を前記第１の集積回路に提供するよう構成されたコンピュータと、
を更に備える、請求項１３に記載のコンピュータシステム。
【請求項１５】
前記コンピュータが、インターネットからグラフィック情報を受け取るように接続されている、請求項１４に記載のコンピュータシステム。
【請求項１６】
グラフィックメモリインタフェイスに接続されたグラフィック処理ユニットと、
前記グラフィックメモリインタフェイスに接続されたパケット生成器回路と、
前記パケット生成期に接続されたカプセル化器と、
前記カプセル化器に接続されたデマルチプレクサと、
前記デマルチプレクサに接続された第１の無線送信機と、
前記デマルチプレクサに接続された第２の無線送信機と、
を備える集積回路。
【請求項１７】
前記グラフィックメモリインタフェイスが、ＤＲＡＭにデータを格納し、且つ、ＤＲＡＭからデータを受け取るよう構成されており、
前記グラフィック処理ユニットが、グラフィック情報をＣＰＵから受け取るよう構成されている、
請求項１６記載の集積回路。
【請求項１８】
グラフィック処理ユニットと、
前記グラフィック処理ユニットに接続された第１のトランシーバと、
前記グラフィック処理ユニットに接続された第２のトランシーバと、
を有する第１の集積回路と、
第３のトランシーバと、
第４のトランシーバと、
前記第１のトランシーバ及び前記第２のトランシーバに接続された出力回路と、
を有する第２の集積回路と、
を備え、
前記第１のトランシーバ及び前記第２のトランシーバが、第１のステータス情報及び第１のグラフィック情報を送信するよう構成されている、
コンピュータシステム。
【請求項１９】
前記第１のトランシーバ及び前記第２のトランシーバが、更に、第２のステータス情報及び第２のグラフィック情報を受け取るよう構成されている、請求項１８記載のコンピュータシステム。
【請求項２０】
前記第１のステータス情報が、前記第１の集積回路によって使用されるトランシーバの個数の指示及びスクリーン解像度の設定を含む、請求項１９に記載のコンピュータシステム。
【請求項２１】
第１の無線受信機と、
第２の無線受信機と、
前記第１の無線受信機及び前記第２の無線受信機に接続された出力回路と、
を備え、
前記出力回路が、信号をモニタに提供するよう構成されている、集積回路。
【請求項２２】
前記第１の無線受信機及び前記第２の無線受信機に結合されたマルチプレクサと、
前記マルチプレクサと前記出力回路との間に結合されたカプセル開放器回路及びレコーダ回路と、
を更に備える、請求項１記載の集積回路。
【発明の詳細な説明】
【背景】
【０００１】
[0001]本発明は、グラフィック処理及び無線回路を備える集積回路に関するものである。
【０００２】
[0002]現在、デジタルメディアの状況は、散在的なもので、分断されたものになっている。コンピュータ、インターネット、及び高解像度ＬＣＤモニタを有するホームオフィスの分野は、テレビ装置、ビデオレコーダ、及びセットトップボックスを有する家庭用娯楽の領域の分野からは、分断されている。例えば、コンピュータ、並びに、そのＤＶＤプレーヤ及び高解像度ＬＣＤモニタは、ホームオフィスでは使用されておらず、一方、テレビプログラムは、リビングルームにある低解像度のＣＲＴモニタで視聴されている。
【０００３】
[0003]これら製品を調和させるための一つ解決策は、パーソナルコンピュータをリビングルームに移すことであり、その近接性によって、パーソナルコンピュータは、家庭用娯楽デバイスとしてより有用なものとするものである。しかしながら、全ての者が、パーソナルコンピュータを、このような公共の場、ベッドルーム、書斎で楽しんでいるわけではなく、即ち、ホームオフィスが好まれているようである。
【０００４】
[0004]このために、プラズマ及びＬＣＤテレビ装置のような新規の高解像度モニタは、インターネットや、ＤＶＤ読み取り／書き込みデバイスのようなコンピュータ周辺装置から切り離されている。
【０００５】
[0005]無線接続を有するモニタの製造が、このギャップを埋める一つの解決策である。しかしながら、従来の無線技術は、特に高解像度モニタ用の優れた品質の画像を提供するために必要な帯域幅及びデータ伝送レートに欠けている。
【０００６】
[0006]従って、高品質の画像の無線モニタへの転送をサポートする高帯域幅の無線接続を提供する回路、方法、及び装置が必要となっている。
【概要】
【０００７】
[0007]それ故に、本発明の実施の形態は、グラフィック情報の処理と、この処理されたグラフィック情報のモニタへの無線伝送が可能な回路、方法、及び装置を提供する。高帯域幅を実現するために、本発明のある実施の形態は、複数のＲＦ送信機を組み込んだグラフィックプロセッサ集積回路を提供して、処理したグラフィック情報を、複数の無線チャンネルによる累積帯域幅を用いて、転送することが可能である。種々の実施の形態では、これら送信機は、一以上のＲＦ標準規格、又は独自仕様の信号伝達スキームを利用することができる。本発明の実施の形態は、これら又は本明細書に説明する他の特徴のうち一以上を組み込んだものである。
【０００８】
[0008]本発明の例示の実施の形態は、集積回路を提供する。この集積回路は、グラフィック情報を受信し、処理済みのグラフィック情報を生成し、且つ、処理済みのグラフック情報を少なくとも第１の部分及び第２の部分として提供するよう構成されたグラフィック処理回路と、グラフィック処理回路に接続され、且つ、処理済みのグラフィックス情報のうち第１の部分を受信して、この処理済みのグラフィック情報の第１の部分を送信するよう構成された第１の無線送信機と、グラフィック処理回路に接続され、且つ、処理済みのグラフィック情報の第２の部分を受信して、この処理済みのグラフィック情報の第２の部分を送信するよう構成された第２の無線送信機と、を備える。
【０００９】
[0009]本発明の別の例示の実施の形態は、グラフィック情報を処理して送信する方法を提供する。本方法は、集積回路上のグラフィックプロセッサを用いてグラフィック情報を受信するステップと、このグラフィック情報を、グラフィックプロセッサを用いて処理するステップと、処理済みのグラフィック情報を少なくとも第１の部分及び第２の部分に分割するステップと、処理済みのグラフィック情報の第１の部分を第１のＲＦ信号として送信するステップと、処理済みのグラフィック情報の第２の部分の第２のＲＦ信号として送信するステップと、を含む。
【００１０】
[0010]本発明の更なる例示の実施の形態は、コンピュータシステムを提供する。本コンピュータシステムは、グラフィック情報を受信し、処理済みのグラフィック情報を生成し、当該処理済みのグラフィック情報を少なくとも第１の部分及び第２の部分として提供するよう構成されたグラフィック処理回路と、グラフィック処理回路に接続され、且つ、処理済みのグラフィック情報の第１の部分を受信して、この処理済みのグラフィック情報の第１の部分を第１のＲＦ信号として送信するよう構成された第１の無線送信機と、グラフィック処理回路に接続され、且つ、処理済みのグラフィック情報の第２の部分を受信して、この処理済みのグラフィック情報の第２の部分を第２のＲＦ信号として送信するよう構成された第２の無線送信機と、を備える。
【００１１】
[0011]この例示のシステムは、更に、第２の集積回路を備え、当該第２の集積回路が、第１のＲＦ信号を受信して、処理済みのグラフィック情報の第１の部分を提供するよう構成された第１の無線受信機と、第２のＲＦ信号を受信して、処理済みのグラフィック情報の第２の部分を提供するよう構成された第２の無線受信機と、処理済みのグラフィック情報の第１の部分及び第２の部分を受信して、第１の出力を生成するよう構成された出力回路と、を備える。
【００１２】
[0012]本発明のまた更に別の実施の形態は、別の集積回路を提供する。この集積回路は、グラフィックメモリインタフェイスに接続されたグラフィック処理ユニットと、グラフィックメモリインタフェイスに接続されたパケット生成器回路と、パケット生成器に接続されたカプセル化器と、カプセル化器に接続されたデマルチプレクサと、デマルチプレクサに接続された第１の無線送信機と、デマルチプレクサに接続された第２の送信機と、を備える。
【００１３】
[0013]本発明のまた更に別の実施の形態は、別のコンピュータシステムを提供する。このコンピュータシステムは、グラフィック処理ユニットと、グラフィック処理ユニットに接続された第１のトランシーバと、グラフィック処理ユニットに接続された第２のトランシーバと、を有する第１の集積回路を備える。このシステムは更に、第３のトランシーバ、第４のトランシーバ、及び、第１及び第２のトランシーバに接続された出力回路と、を有する集積回路を備える。第１及び第２のトランシーバは、第１のステータス情報及び第１のグラフィック情報を送信するように構成されている。
【００１４】
[0014]本発明の本質及び利点に関する更なる理解は、以下の詳細な説明及び添付の図面を参照することによって得ることができる。
【例示の実施の形態の説明】
【００１５】
[0025]図１は、本発明の実施の形態に係る無線グラフィックシステムのブロック図である。このブロック図は、第１の集積回路１００と第２の集積回路１５０とを含んでいる。第１の集積回路は、グラフィック処理ユニット１２０及び無線送信機１３０を備えている。グラフィック処理ユニット１２０は、ライン１１２上のデータを受け取り、ライン１１４上にデータを出力する。通常、これらの接続は、中央処理システム又は他の計算システム、若しくはサブシステムに対するものである。無線送信機１３０は、アンテナ１４０から無線チャンネル１９０を介してアンテナ１８０へ信号を送信する。
【００１６】
[0026]第２の集積回路１５０は、受信機１６０、及びビデオ出力回路１７０を備えている。アンテナ１８０に現れる信号は、受信機１６０によって受信される。第２の集積回路は、ビデオ信号を、ライン１５２上でモニタ又は他のディスプレイ装置に提供する。
【００１７】
[0027]この構成では、グラフィック処理ユニットは、ある部屋に、例えばホームオフィスに、コンピュータシステムの一部として設けられていてもよく、一方、第２の集積回路１５０は、第２の部屋、例えばリビングルームにおいて、無線モニタ用の受信機として動作する。このように、コンピュータ又は中央処理ユニットの計算能力を、ケーブル又は別の配線を接続部として要することなく、繋げることができる。
【００１８】
[0028]図２は、本発明の実施の形態に係る無線グラフィックシステムのオペレーションを示すフローチャートである。動作２１０において、グラフィック画像を生成する際に使用するデータが受信される。このデータは、ＣＰＵ又は他の計算デバイスによって提供されてグラフィック処理ユニットによって提供されるものであってもよい。動作２２０において、受信されたデータが、グラフィック処理ユニットによって処理される。
【００１９】
[0029]動作２３０においては、無線通信リンクが確立される。処理済みのデータが、動作２４０において、ある周波数で変調され、次いで、無線で送信される。動作２５０においては、処理済みのデータが、無線受信機を用いて受信され、次いで、復調される。復調された処理済みのデータが、次いで、動作２６０においてグラフィック画像を表示するために使用される。
【００２０】
[0030]図３は、本発明の実施の形態を組み込んだ従来の計算システム３００のブロック図である。この計算システムは、ノースブリッジ３１０、二以上の無線送信機又はトランシーバ（図示せず）を有するグラフィック処理ユニット１２０、サウスブリッジ、グラフィックメモリ又はフレームバッファ３４０、中央処理ユニット（ＣＰＵ）３５０、オーディオカード３６０、イーサネットカード３６２、モデム３６４、ＵＳＢカード３６６、グラフィックカード３６８、ＰＣＩスロット３７０、メモリ２０５、及び、二以上の無線受信機又はトランシーバを有するモニタ３８０を備えている。本図は、全ての添付の図と同様に、例示のみを目的として示したものであり、本発明の考えられる実施の形態又は特許請求の範囲の何れをも限定するものではない。
【００２１】
[0031]ノースブリッジ３１０は、ＣＰＵ３５０からの情報を、メモリ３０５、グラフィックアクセラレータ３２０、及びサウスブリッジ３３０に渡し、また、これらメモリ３０５、グラフィックアクセラレータ３２０、及びサウスブリッジ３３０から受け取る。サウスブリッジ３３０は、外部通信システムに、ユニバーサル・シリアル・バス（ＵＳＢ）のような接続を介してインタフェイスする。グラフィックアクセラレータ３２０は、アクセラレイティッド・グラフィックス・ポート（ＡＧＰ）バス３２５上のノースブリッジ３１０を介したＣＰＵ３５０からのグラフィック情報、及び、メモリ又はフレームバッファ３４０から直接のグラフィック情報を、受け取る。グラフィックプロセッサ３２０は、フレームバッファ３４０とのインタフェイスを行なう。フレームバッファ３４０は、表示すべきピクセルを格納するディプレイバッファを有することができる。
【００２２】
[0032]グラフィックプロセッサ３２０は、グラフィック情報を受け取り、当該グラフィック情報を処理して、モニタ３８０に無線で送信する。高品質のビデオ信号の送信を可能とする高帯域幅を実現するために、グラフィックプロセッサ３２０は、複数の送信機を組み込んでおり、当該複数の送信機によって、データを並行してモニタ３８０に送信する。同様に、モニタ３８０は、複数の無線受信機を有しており、当該複数の受信機によって、データ信号を並行してグラフィックプロセッサ３２０から受け取る。
【００２３】
[0033]このアーキテクチャでは、ＣＰＵ３５０が、本計算システムによって要求される処理タスクの大半を実行する。特に、グラフィックプロセッサ３２０は、計算を設定して、幾何値を算出することについて、ＣＰＵ３５０に依存している。また、オーディオ又はサウンドカード３６０は、ＣＰＵ３５０に、オーディオデータ、位置計算、及び、種々の効果、例えば、コーラス、残響、妨害、閉鎖等の処理について、全て同時に依存している。さらに、ＣＰＵ３５０は、動作中のアプリケーションに関連する他の命令、及び、サウスブリッジ３３０に接続された種々の周辺デバイスに対する処理を担っている。
【００２４】
[0034]図４は、本発明の実施の形態を組み込んだ改良型計算システムのブロック図である。改良型の計算システム４００は、ＮＶＩＤＡ  ｎＦｏｒｃｅ（登録商標）２集積グラフィックプロセッサ（ＩＧＰ）のような集積グラフィック処理回路４１０、ｎＦｏｒｃｅ２メディア通信プロセッサ（ＭＣＰ２）４２０、メモリ４１２及び４１４、ＣＰＵ４１６、オプションのグラフィックプロセッサ４１８及びフレームバッファ４４０、モニタ４２２、スキャナ又はカメラ４３４、マウス、キーボード、及びプリンタ４３６、ハードドライブ４３８、ソフトモデム４４２、イーサネット・ネットワーク又はＬＡＮ４４６、並びに、オーディオシステム４４８を備えている。
【００２５】
[0035]この革新的なシステムアーキテクチャは、分散処理プラットフォームに対して設計されたものであり、当該アーキテクチャは、ＣＰＵを、それに最適なタスクを実行するように解放するものである。具体的に、ｎＦｏｒｃｅ２  ＩＧＰ  ４１０は、以前にはＣＰＵ４１６に委ねていたグラフィック計算を実行することができるグラフィック処理ユニット（ＧＰＵ）（図示せず）を有している。或いは、ｎＦｏｒｃｅ２  ＩＧＰ４１０は、これら計算を実行するオプションのＧＰＵ４１８にインタフェイスすることができる。また、ｎＦｏｒｃｅ２  ＭＣＰ２  ４２０は、オーディオ処理ユニット（ＡＰＵ）を有しており、当該ＡＰＵは、以前にはＣＰＵ４１６によって成されていたオーディオ計算の多くを実行することができる。このようにＣＰＵは、そのタスクをより効率良く実行するよう解放される。また、ＵＳＢ及びイーサネットのような一式のネットワーク化及び通信技術を組み込むことによって、ｎＦｏｒｃｅ２  ＭＣＰ２  ４２０は、以前にはＣＰＵ４１６が処理を担っていた通信タスクの大部分を実行することができる。
【００２６】
[0036]このアーキテクチャでは、ｎＦｏｒｃｅ２  ＩＧＰ４１０は、メモリ４１２及び４１４と、バス４１３及び４１５を介して通信する。ｎＦｏｒｃｅ２  ＩＧＰ４１０はまた、オプションのグラフィックプロセッサ４１８に、アドバンスドＡＧＰバス４１７でインタフェイスする。種々のコンピュータシステムでは、オプションのプロセッサ４１８を取り除くことができ、モニタ４２２をｎＦｏｒｃｅ２  ＩＧＰ４１０によって無線で駆動することができる。他のシステムでは、一より多いモニタ４２２が存在していてもよく、当該モニタのうち幾つか又は全てが、オプションのグラフィックプロセッサ４１８又はｎＦｏｒｃｅ２  ＩＧＰ４１０から無線信号を受信してもよい。ｎＦｏｒｃｅ２  ＩＧＰ４１０は、ｎＦｏｒｃｅ２  ＭＣＰ２  ４２０と、ＨｙｐｅｒＴｒａｎｓｐｏｒｔ（登録商標）リンク４２１で、通信する。オプションのグラフィックプロセッサ４１８はまた、外部メモリ、例えば、オプションのフレームバッファ４４０とインタフェイスしてもよい。
【００２７】
[0037]ｎＦｏｒｃｅ２  ＭＣＰ２  ４２０は、イーサネット接続部４４６及びソフトモデム４４２用のコントローラを有している。ｎＦｏｒｃｅ２  ＭＣＰ  ４２０はまた、マウス、キーボード、及びプリンタ４３６用のインタフェイスを有しており、また、カメラ及びスキャナ４３４、並びに、ハードドライブ４３８用のＵＳＢポートを有している。
【００２８】
[0038]この構成によって、ＣＰＵ４１６，ｎＦｏｒｃｅ２  ＩＧＰ４１０、及びｎＦｏｒｃｅ２  ＭＣＰ２  ４２０は、独立、同時、且つ並列に、処理を実行することが可能となる。
【００２９】
[0039]本発明の実施の形態を用いて、ｎＦｏｒｃｅ２  ＩＧＰ４１０又はグラフィックプロセッサ４１８といったグラフィック処理ユニットとモニタ４２２との間の無線帯域幅を向上することができる。
【００３０】
[0040]図５は、本発明の実施の形態に係る別の無線グラフィックシステムのブロック図である。このブロック図は、第１の集積回路５００及び第２の集積回路５５０を含んでいる。第１の集積回路は、グラフィック処理ユニット５１０、複数の送信機５３０、５３２、及び５３４を有している。グラフィック情報は、ライン５１２上で受け取られて、ライン５１４上に提供される。これらラインは、通常、ＣＰＵ、コンピュータ、又は他の計算サブシステムに接続する。受信されたグラフィック情報は、グラフィック処理ユニットによって処理される。処理されたグラフィック情報は、複数の部分に分割され、それぞれ、送信機５３０、５３２、及び５３４の何れか一つに提供される。これら送信機は、それぞれに対応のデータ部分をＲＦ信号として、アンテナ５４０、５４２、及び５４４を用いて送信する。これらアンテナは、一つの共用アンテナであってもよく、又は、図示したように個別のアンテナであってもよい。通常は、チップ及びボードのレイアウトに関する検討事項、並びにインピーダンス整合といった制約によって、使用するアンテナ数が決定される。
【００３１】
[0041]第２の集積回路は、複数の受信機５６２、５６４、及び５６６、並びに、フレーマ及びＤＡＣ５７０を有する出力回路を備えている。無線信号は、アンテナ５８０、５８２、及び５８４で受信され、受信機５６２、５６４、及び５６６へ提供される。繰り返すが、これらアンテナは共用アンテナであっても複数のアンテナであってもよい。受信機は信号を復調して、当該信号をフレーマ及びＤＡＣ回路５７０に提供する。本回路は、データを再構築して、グラフィック画像を形成し、信号をライン５５２でモニタ（図示せず）へ提供する。本発明の種々の実施の形態では、この信号は、アナログ信号であってもよく、デジタル信号であってもよい。
【００３２】
[0042]本発明の種々の実施の形態では、本図又は他の図に示した回路によって送信され受信される信号は、ＲＦ標準規格、即ち、ＩＥＥＥ  ８０２．１１ａ、ＩＥＥＥ  ８０２．１１ｂ、ＩＥＥＥ  ８０２．１１ｇ、Ｂｌｕｅｔｏｏｔｈ、超広帯域無線（ＵＷＢ）、無線ＵＳＢ、若しくは、他の現存する又は後に開発される無線標準規格又はプロトコルといったプロトコルに準拠することができる。或いは、独自仕様、即ち別の信号伝達スキームを使用することができる。送信機の各々は、同じプロトコル、即ち同じ信号伝達スキームを使用することができ、又は、種々のプロトコル即ち信号伝達スキームを使用することができる。同じプロトコルを書く送信機及び対応の受信機に使用する場合には、送信機が衝突を回避するような周波数を使用するスキームを用いることができる。かかるスキームは、スマート周波数ホッピングスキームと称されることがある。
【００３３】
[0043]本図及び他の添付の図では、無線送信機又はトランシーバが、同じ集積回路上に、グラフィック処理ユニットとして形成されているように示してある。この集積回路は、通常、コンピュータシステムにおけるマザーボード、ドーターボード、若しくは、アドオンカード又は他のビデオカード上にある。本発明の他の実施の形態では、グラフィック処理ユニット及び無線送信機が、個別の回路に形成されていてもよい。例えば、グラフィック処理ユニットが、第１の集積回路上に設けられている一方で、無線回路が、第２の集積回路上にあってもよい。或いは、無線回路が、一より多い個別の集積回路上に形成されていてもよく、各個別の集積回路が、一以上の送信機又はトランシーバを有していてもよい。本構成では、グラフィック処理ユニットを有する集積回路が、通常、マザーボード、ドーターボード、アドオン、又は他のビデオカード上に設けられる。本発明の種々の実施の形態では、無線回路又は複数の無線回路が、マザーボード、ドーターボード、アドオン、又は（以前にはＰＣＭＣＩＡカードであった）ＰＣカードのような他のカードに設けられていてもよい。これは、グラフィック処理ユニットの位置と同じであってもよく、又は、グラフィック処理ユニットから離れていてもよい。ＰＣカードの実施の形態は、無線回路を単独に有する場合又はグラフィック処理ユニットを有する場合の何れであっても、ラップトップコンピュータがモニタ又は他のディスプレイ装置用のビデオ画像を生成するコンピュータシステムにおいて特に有利である。
【００３４】
[0044]幾つかのコンピュータシステムでは、一つのグラフィック処理ユニットが、グラフィック信号を一より多いモニタに提供することが望ましい。幾つかの環境では、一つのグラフィック信号を複数のモニタに提供することができ、別の環境では、各モニタが独自の信号を受け取ることができる。
【００３５】
[0045]図６は、本発明の実施の形態に係る複数のモニタを有する別の無線グラフィックシステムのブロック図である。本ブロック図は、三つの集積回路６００、６４０、及び６５３を含んでいる。集積回路６００は、グラフィック処理ユニット６２０と、複数の送信機６３０、６３２及び６３４と、を有している。従来通り、グラフィック処理ユニット６２０は、処理済みのグラフィック情報を生成し、当該グラフィック情報を分割して、分割した各部分を送信機６３０、６３２及び６３４のうちの何れか一つに提供する。これら送信機は、次いで、この情報を、当該情報に搬送波信号を掛け合わせて、アンテナ６４０、６４２及び６４４に与えることによって、変換する。繰り返すが、これらアンテナは、一つの共用アンテナであってもよく、又は複数のアンテナであってもよい。
【００３６】
[0046]第２の集積回路６５０は、複数の受信機６６０、６６２及び６６４を有している。信号は、アンテナ６８０、６８２、及び６８４で受信され、受信機６６０、６６２及び６６４に提供される。繰り返すが、これらアンテナは、一つの共用アンテナであってもよく、又は複数のアンテナであってもよい。受信機６６０、６６２及び６６４は、信号を復調して、フレーマ及びＤＡＣ回路６７０に提供する。フレーマ回路は、グラフィック画像を再構成して、第１のモニタ（図示せず）に提供する。
【００３７】
[0047]第３の集積回路６５３は、受信機６５１、６６３、及び６６５を有しており、フレーマ及びＤＡＣ回路６７１を有している。信号は、アンテナ６８１、６８３及び６８５上で受信機回路６６１、６６３、及び６６５によって受信される。受信機回路６６１、６６３、及び６６５は、受信した信号を復調して、復調データをフレーマ及びＤＡＣ６７１に提供する。フレーマ及びＤＡＣ６７１は、グラフィック画像を再構成して、第２のモニタ（図示せず）に提供する。
【００３８】
[0048]繰り返すが、第２の集積回路６５０及び第３の集積回路６５３は、独自の信号を受け取ってもよい。この場合には、集積回路６００上のアクティブな送信機の数は、通常、集積回路６５０及び６５３上のアクティブな受信機の数の合計に一致する。集積回路６５０及び６５３上のアクティブな受信機の数は等しくてもよく、互いに異なっていてもよい。例えば、集積回路６５０が第３の集積回路６５３よりも高解像度のモニタ用の信号を提供する場合には、第２の集積回路６５０上では、第３の集積回路６５３におけるよりも、多くの受信機がアクティブとなるべきである。これをサポートするために、集積回路６００上では、より多くの送信機が、第３の集積回路６５３に対するよりも第２の集積回路６５０用に、信号を提供すべきである。このように、第２の集積回路への無線帯域幅及びデータ転送レートが、高解像度モニタでの画質を維持するために、増加される。本例は、一つのモニタが従来のテレビジョン画像を受信し、他のモニタが、高解像度のビデオゲーム画像を受信するものである。同様に、モニタのうちの一つの解像度が変更される場合には、アクティブな受信機と対応の送信機の数が、それに応じて変更されてもよい。
【００３９】
[0049]逆に、第１及び第２のモニタの両者が、同じ画像を受信してもよい。この場合には、通常、第１の集積回路におけるアクティブな送信機の数が、第２の集積回路６５０及び第３の集積回路６５３におけるアクティブな受信機の数に一致する。繰り返すが、モニタの一方又は両者の解像度が変更される場合には、アクティブな送信機及び受信機の数が例えば、モバイルアプリケーションにおける電力を節約するために、変更されてもよい
【００４０】
[0050]上述の例では、グラフィック処理ユニットに関連づけられた無線回路が、送信機である。これは、グラフィック情報のグラフィック処理ユニットからモニタへの流れを示すためである。本発明の幾つかの実施の形態では、トランシーバを使用する。これによって、データの双方向通信が可能となり、具体的には、データは、ＧＰＵからモニタへ流れ、また、モニタからＧＰＵ及び関連の回路に戻ることができる。この双方向データは、グラフィック情報及びステータス情報を含むことができる。
【００４１】
[0051]図７は、本発明の実施の形態に係るシステムにおけるグラフィック及びステータス情報の伝送を示すブロック図である。同図は、第１の集積回路７００と、第２の集積回路７５０を含んでいる。第１の集積回路は、グラフィック処理ユニット７２０と、複数のトランシーバ７３０及び７３２と、を有している。第２の集積回路は、複数のトランシーバ７６０及び７６２と、入出力回路７７０と、を有している。ステータス情報７４２及びグラフィック情報７４４は、第１の集積回路７００から第２の集積回路７５０に提供される。同様に、ステータス情報７４６及びグラフィック情報は、第２の集積回路７５０から第１の集積回路７００に提供される。
【００４２】
[0052]具体的に、第１の集積回路７００は、モニタ解像度及びリフレッシュレートを含むステータス情報を、モニタ７９０へ、第２の集積回路７５０を介して送ることができる。同様に、グラフィック処理ユニット７２０は、送信用のグラフィック画像を生成し、モニタ７９０に表示する。
【００４３】
[0053]モニタ７９０は、信号強度の指示情報のようなステータス情報７４６を報告することができる。例えば、モニタ７９０が弱い信号を受けている場合に、トランシーバ８３０及び７３２における送信機への電力を増加させることができる。或いは、モニタ７９０の解像度又はリフレッシュレートを低減させて、不良受信状態に起因する帯域幅及び送信データレートの減少を反映させることができる。
【００４４】
[0054]モニタ７９０はまた、テレビ装置及びリビングルームのようなモニタであってもよい。この場合には、モニタ７９０は、テレビジョンチューナ７９２、及び、ＤＶＤ又はＶＣＲプレーヤのようなストレージデバイスに接続されることが多い。これらデバイスは、次いで、信号をモニタ７９０提供し、また、信号を第２の集積回路８５０を介して第１の集積回路７００に戻すことができる。第１の集積回路７１０は、次いで、これら画像をコンピュータ７１０に渡すことができる。コンピュータ７１０は、インターネット７１４、若しくは、ＤＶＤ、ハードドライブ、又は他のストレージ又はメモリデバイスのようなストレージデバイス７１２への接続を有することができる。
【００４５】
[0055]第２の集積回路７５０から第１の集積回路７００へのグラフィック画像のパスを必要としない実施の形態では、幾つかの送信機を第１の集積回路７００に備えて、一つの受信機のみを、信号強度の指示情報又は他の情報を受信するように備えてもよい。同様に一つの送信機のみを、この場合の第２の集積回路７５０に備えてもよい。
【００４６】
[0056]本図又は他の添付の図では、ビデオ情報が、一つの回路から他の回路に送信されている。本発明の種々の実施の形態では、オーディオ情報が、一つの回路から他の回路に送信されてもよい。オーディオ情報は、ビデオ情報の一部として含められてもよい。即ち、集積回路、例えば、集積回路７００上の送信機又はトランシーバの各々が、ビデオ伝送の一部及びオーディオ伝送の一部を取り扱ってもよい。或いは、一以上の送信機又はトランシーバが、オーディオ情報を送信して、別の送信機又はトランシーバが、ビデオ情報を送信してもよい。他の実施の形態では、オーディオ及びステータス情報を、一以上の送信機又はトランシーバを用いて送信し、他の送信機又はトランシーバがビデオ情報を送信するタスクを分担することができる。
【００４７】
[0057]幾つかのシステムでは、複数の画像を単一のモニタに提供する複数のグラフィック処理ユニットを有することが望ましい。例えば、Ｗｏｒｄ文書上での動作の間、モニタ画面の角部をゲームに充てることが望ましいことがある。また、ある環境では、単一のグラフィック処理ユニットが、二以上のモニタに信号を提供することが望ましいことがある。この場合には、全モニタが、図６に示すように無線のものであってもよく、又は、一つのモニタが無線のものであり、他のモニタがケーブル又は他の配線を介して接続されていてもよい。
【００４８】
[0058]図８は、本発明の実施の形態に係り、一つの計算システムがビデオコンテンツを二つのモニタ用に提供するシステムを示すブロック図である。この図は、第１の集積回路８００，第２の集積回路８５０を含んでいる。第１の集積回路８００は、グラフィック処理ユニット８２０と、複数の無線送信機８３０及び８３２と、を備えている。第１の集積回路８００はまた、従来のビデオ出力回路８３２を備えている。
【００４９】
[0059]第２の集積回路８５０は、複数の受信機８６０及び８２０と、ビデオ出力回路８７０を備えている。第２の集積回路８５０は、ビデオ出力信号を第１のモニタ８９０に提供し、第１の集積回路８００上のビデオ出力回路は、配線８９４で第２のモニタ８９２に信号を提供する。
【００５０】
[0060]ＧＰＵ８２０は、グラフィック情報をコンピュータ８１０から受け取る。コンピュータ８１０は、インターネット８１４に、ストレージデバイス８１２に、又は、他のビデオ回路に接続されている。ストレージデバイス８１２は、ＤＶＤ読み取り／書き込みドライブ、ハードドライブ、又は他の周辺機器であってもよい。
【００５１】
[0061]この特定の構成は、モニタ８９２に表示する画像が、比較的高解像度であり、モニタ８９０に表示する画像が比較的低解像度である場合に、特に有益である。
【００５２】
[0062]本発明の種々の実施の形態では、グラフィック処理の処理負荷を、２以上のグラフィック処理ユニットで分割することが望ましい。処理負荷は、プロセッサ間で種々の方法で分割することができる。例えば、二つのグラフィック処理ユニットが、表示すべき画像の交互のフレームをレンダリングしてもよい。これは、三次元アプリケーションにおいて特に有益である。また、二以上のグラフィック処理ユニットが、表示すべき画像をフレーム単位で、例えば、第１のグラフィック処理ユニットが画像の上方部分をレンダリングし、第２のグラフィック処理ユニットが画像の下側部分をレンダリングするように、分割してもよい。
【００５３】
[0063]図９は、複数のグラフィック処理ユニットを有する無線グラフィックシステムのブロック図である。本ブロック図は、第１のグラフィック処理ユニット９１４を有する第１の集積回路９１０と、第２のグラフィック処理ユニット９２４を有する第２の集積回路９２０と、第３の集積回路９１６と、ブリッジ９５０と、ＣＰＵ９５５と、を備えている。グラフィック処理ユニットを有する二より多い集積回路を、本発明の種々の実施の形態に使用することができる。
【００５４】
[0064]ＣＰＵ９５５は、グラフィック処理ユニット９１４〜９２４とブリッジ９５０を介して通信する。ブリッジ９５０は、次いで、グラフィック処理ユニット９１４〜９２４と、メモリインタフェイス回路９３０〜９４０を介して通信する。グラフィック処理ユニット９１４〜９２４は、それらに対応の表示すべき画像又はビデオストリームの部分をレンダリングする。グラフィック処理ユニット９１４は、グラフィックメモリ９３５からメモリインタフェイス９３０を介してデータを格納し、取り出す。同様に、グラフィック処理ユニット９２４は、グラフィックメモリ９４５からメモリインタフェイス９４０を介してデータを格納し、取り出す。
【００５５】
[0065]グラフィック処理ユニット９１４は、表示すべき画像の部分を、送信機９１６〜９１８を介して送信する。グラフィック処理ユニット９２４は、表示すべき画像の部分を、送信機９２６〜９２８を介して送信する。本図及び他の図におけるように、この動作は、グラフィック処理ユニット自体の一部、又は、簡明性の為に図示しない別の回路と見なし得るスキャンアウト（scanout）エンジンによって実行することができる。
【００５６】
[0066]他の実施の形態では、グラフィック処理ユニット９１４〜９２４を、単一のスキャンアウト回路に接続し、当該スキャンアウト回路を、次いで、送信機又はトランシーバに接続することができる。この構成では、グラフィック処理ユニット、スキャンアウトエンジン、及び、送信機又はトランシーバを、単一の集積回路上に備えてもよい。或いは、第１のグラフィック処理ユニットを第１の集積回路上に形成して、第２のグラフィック処理ユニットに、一以上の送信機又はトランシーバと集積回路を共有させてもよい。
【００５７】
[0067]送信機又はトランシーバ９１６〜９１８は、アンテナ９１２を用いて通信し、送信機又はトランシーバ９２６〜９２８は、アンテナ９２２を用いて通信する。従来のように、これらアンテナは、一以上の個別のアンテナであってもよい。
【００５８】
[0068]第３の集積回路９６０は、信号を、アンテナ９６２を介して受信する。この信号は、受信機９６４〜９６６によって受信される。受信機９６４及び９６６は、次いで、信号を、フレーマ及びＤＡＣ９５８に渡し、当該フレーム及びＤＡＣ９６８が、信号をモニタ９６９（図示せず）に提供する。
【００５９】
[0069]本回路を変更することが可能であることが理解されよう。例えば、ブリッジ回路９５０を取り除くことができ、又はその機能を、グラフィックプロセッサ集積回路９１０及び９２０の一方又は両者に含めることができる。例えば、一つのＧＰＵの出力を、第１のＧＰＵを介してフィードバックをしてもよい。この例は、”ＣＯＨＥＲＥＮＣＥ  ＯＦ  ＤＩＳＰＬＡＹＥＤ  ＩＭＡＧＥ  ＦＯＲ  ＳＰＬＩＴ−ＦＲＡＭＥ  ＲＥＮＤＥＲＩＮＧ  ＩＮ  ＭＵＬＴＩ−ＰＲＯＣＥＳＳＯＲ  ＧＲＡＰＨＩＣＳ  ＳＹＳＴＥＭ”と題する同時継続の米国特許出願第１０／＿，＿号（代理人整理番号０１９６８０−１３７００ＵＳ）に見ることができる。
【００６０】
[0070]この例では、無線回路が、集積回路９１０及び９２０の両者において示されている。他の実施の形態では、無線回路が、集積回路の一方のみにあってもよい。或いは、無線回路が、計算システム又は他のシステムにおける別の場所にあってもよく、例えば、アドオンカード、マザーボート、又は他の場所における離れた集積回路上にあってもよい。
【００６１】
[0071]図１０は、本発明の実施の形態に係る無線ビデオシステムに使用し得る二つの集積回路のより詳細なブロック図である。本ブロック図は、第１の集積回路１０００及び第２の集積回路１０５０を含んでおり、更に、グラフィックメモリ１０９０を含んでいる。グラフィックメモリ１０９０は、通常、一以上のＤＲＡＭデバイスである。グラフィック処理ユニット１０１０は、グラフィック画像を表示用に生成し、当該画像をグラフィックメモリ１０９０にメモリインタフェイス１００５を介して格納する。メモリインタフェイス１００５は、グラフィック画像をパケット生成器１０２０に提供する。パケット生成器１０２０は、パケットを生成するものであり、パケットの各々は、グラフィック画像の一部分を含む。これらパケットは、カプセル化器１０２０に渡され、当該カプセル化器１０２０が、ヘッダ及びロケーションＩＤ情報を提供する。これらのカプセル化されたパケットは、次いで、マルチプレクサ１０２４によって逆多重化され、送信機１０３０及び１０３２に提供される。これら送信機は、カプセル化されたパケットをＲＦ信号として、アンテナ又は複数のアンテナ１０４０を介して提供される。信号は、第２の集積回路１０５０によってアンテナ又は複数のアンテナ１０８０を介して受信される。
【００６２】
[0072]第２の集積回路は、ＲＦ信号を、受信機１０６０及び１０６２によって受信する。これら受信機は、信号を復調して、マルチプレクサ回路１０７０に提供する。マルチプレクサ１０７０は、データをシリアライズして、カプセル開放器１０７２に提供する。これらパケットは、次いで、レコーダ回路１０７４によって記録される。グラフィック画像が、次いで、ライン１０９２上のデジタル情報として、又は、ライン１０８４上の変換されたアナログ信号として、出力回路（図示せず）によって提供される。
【００６３】
[0073]これら回路は、一以上の符号化又は暗号化スキームを有していてもよい。また、圧縮スキームを使用して、無線送信する必要のあるグラフィック情報の量を制限してもよい。これらスキームは、配線又は無線経路の何れが使用されるかに応じて変更され得る。無線経路が使用される場合には、これらスキームは、受信強度、画面解像度、リフレッシュレート、及び他の因子に応じて調整される。
【００６４】
[0074]本発明の実施の形態の上述の説明は、例示及び説明の為に提供したものである。本発明は、説明した形態そのものに包括されることを意図するものではなく、又当該形態に限定することを意図したものではなく、上述の教示の下で多くの改良及び変更を行なうことが可能である。
【００６５】
[0075]例えば、特定の図は、例えば二つといった複数のモニタ又はプロセッサを含むことができるが、本発明の実施の形態は、より少ない又はより多い個数を採用し得る。
【００６６】
[0076]また、プロセッサは、簡明にするためにグラフィックプロセッサとして示したが、他のタイプの汎用、専用のプロセッサ、若しくは、他のタイプ又は組み合わせのプロセッサを、本発明の種々の実施の形態に使用することができる。また、本発明の実施の形態は、送信機及び受信機毎に一つのアンテナを有してもよく、他の実施の形態は、二より多い送信機又は受信機間でアンテナを共用してもよい。これは、使用される回路そのもの、レイアウト、終端（ｔｅｒｍｉｎａｔｉｏｎ）、及び他の検討事項に依存する。
【００６７】
[0077]上記実施の形態は、本発明の原理及びその実際の応用を最適に説明して、他の当業者が、本発明を種々の実施の形態において、また、考えられる特定の用途に適合するよう種々の変形態様で利用できるように、選択して説明したものである。
【図面の簡単な説明】
【００６８】
【図１】本発明の実施の形態に係る無線グラフィックシステムのブロック図である。
【図２】本発明の実施の形態に係る無線グラフィックシステムのオペレーションを示すフローチャートである。
【図３】本発明の実施の形態を組み込んだ従来の計算システムのブロックズ図である。
【図４】本発明の実施の形態を組み込んだ改良型計算システムのブロックズである。
【図５】本発明の実施の形態に係る別の無線グラフィックシステムのブロック図である。
【図６】本発明の実施の形態に係る複数のモニタを有する別の無線グラフィックシステムのブロック図である。
【図７】本発明の実施の形態に係るシステムにおけるグラフィック情報及びステータス情報の伝送を示すブロック図である。
【図８】本発明の実施の形態に係り、一つの計算システムが二つのモニタ用のビデオコンテンツを提供するシステムを示すブロック図である。
【図９】複数のグラフィック処理ユニットを有する無線グラフィックシステムのブロック図である。
【図１０】本発明の実施の形態に係る無線ビデオシステムにおいて使用され得る二つの集積回路のより詳細なブロック図である。
【図１】
2008530828.tif 000003
【図２】
2008530828.tif 000004
【図３】
2008530828.tif 000005
【図４】
2008530828.tif 000006
【図５】
2008530828.tif 000007
【図６】
2008530828.tif 000008
【図７】
2008530828.tif 000009
【図８】
2008530828.tif 000010
【図９】
2008530828.tif 000011
【図１０】
2008530828.tif 000012
【国際調査報告】
2008530828.tif 000013
2008530828.tif 000014